(57)【要約】      （修正有）【課題】固体電解質形燃料電池からの排熱を有効に利用でき、固体電解質形燃料電池の壁面温度を安全な温度まで下げることのできる燃料電池システムを提供する。【解決手段】壁面を具備する固体電解質形燃料電池と、湯水を貯える貯湯タンクと、第一の熱交換器と、固体電解質形燃料電池の壁面に取り付けられた第二の熱交換器と、貯湯タンクの底部と第一の熱交換器と第二の熱交換器と貯湯タンクの上部とを順に接続する水循環配管と、固体電解質形燃料電池と第二の熱交換器とを接続する排ガス配管とを含む燃料電池システムであって、固体電解質形燃料電池から流出する排ガスが前記第一の熱交換器を通過して排出されるとともに、貯湯タンクから流出する水が前記第一の熱交換器を通過することにより、排ガスと水との間で熱交換が行われ、第一の熱交換器を通過した水が第二の熱交換器を通過することにより、固体電解質形燃料電池の壁面と水との間で熱交換が行われる。【選択図】図１
2006179386.tif 000002
【特許請求の範囲】
【請求項１】
壁面を具備する固体電解質形燃料電池と、湯水を貯える貯湯タンクと、第一の熱交換器と、前記固体電解質形燃料電池の壁面に取り付けられた第二の熱交換器と、前記貯湯タンクの底部と前記第一の熱交換器と前記第二の熱交換器と前記貯湯タンクの上部とを順に接続する水循環配管と、前記固体電解質形燃料電池と前記第一の熱交換器とを接続する排ガス配管とを具備し、
前記固体電解質形燃料電池から流出する排ガスが前記第一の熱交換器を通過して排出されるとともに、前記貯湯タンクからの水が前記第一の熱交換器を通過することにより、排ガスと水との間で熱交換が行われ、
前記第一の熱交換器を通過した水が前記第二の熱交換器を通過することにより、前記固体電解質形燃料電池の壁面と水との間で熱交換が行われることを特徴とする燃料電池システム。
【請求項２】
第二の熱交換器が、高熱伝導性金属板と該高熱伝導性金属板に密着させた水流通配管とからなることを特徴とする請求項１に記載の燃料電池システム。
【請求項３】
第二の熱交換器が、高熱伝導性金属板により水流通経路を形成させたプレート式熱交換器であることを特徴とする請求項１に記載の燃料電池システム。
【請求項４】
第二の熱交換器が、側面上方または上面に設けられてなる請求項１〜４のいずれかに記載の燃料電池システム。
【請求項５】
第二の熱交換器が、複数の側面に設けられてなる請求項１〜３のいずれかに記載の燃料電池システム。
【発明の詳細な説明】
【技術分野】
【０００１】
本発明は、固体電解質形燃料電池から排出される排ガスと貯湯タンクに貯えられる水を熱交換器に通過させることにより、排ガスの熱を回収するようにしてなる燃料電池システムに関する。
【背景技術】
【０００２】
従来の高分子電解質形燃料電池システムでは、図４に示すような排熱回収システムが採用されている。このものは、燃料電池３１より生じた熱を回収する冷却水の温度を検出するサーミスタ等の電池温度検出器３３が、冷却配管３５の燃料電池３１からの出口側に設置されている。そして制御装置３６は、電池温度検出器３３が検出する冷却水の温度が運転温度の上限値未満の時は、燃料電池３１の発電量に応じて排熱回収配管３７内の水の流量が所定流量になるように循環ポンプ３９の出力を制御し、貯湯タンク全体の湯温が所定の温度に達し、電池温度検出器３３が運転温度の上限値以上となると燃料電池３１の発電量に関係なく発電を停止させるようになっている。
【０００３】
この燃料電池システムの運転時には、燃料処理装置４３は天然ガスなどの原料を水蒸気改質し、水素を主成分とするガスを生成して燃料電池３１に供給する。また、空気供給装置４５により、酸化剤ガスは酸化側加湿器４７で加湿され、燃料電池３１に供給される。一方、燃料電池３１の発電により生じた熱は、冷却配管３５内を流れる冷却水に回収される。冷却水はポンプ４１により循環し、冷却水に回収された熱は、熱交換器４９を介して排熱回収配管３７内を循環する水に移動する。
【０００４】
即ち、高分子電解質形燃料電池システムでは、高分子電解質を用いるため燃料電池を冷却する必要があり、そのために冷却水を用いており、この冷却水による冷却が行われなくなると、燃料電池自体が破損するため、冷却水の温度を制御する必要があり、図４に示すような構造になっているものである。
【０００５】
このように、高分子電解質形燃料電池システムの排熱回収システムは知られているが、１ｋｗ級の固体電解質形燃料電池システムでは、電解質が固体電解質タイプという異なるものであるため、高分子電解質形燃料電池システムの排熱回収システムをそのまま適用することはできなかった。
【０００６】
ここで、固体電解質型燃料電池の排熱回収システムとしては、酸素含有ガス供給管を、排気管及び固体電解質形燃料電池の燃焼室を形成する反応容器の壁面に沿って設けてなる構造が知られている（特許文献１参照）。
【特許文献１】特開２０００−２６８８３９
【発明の開示】
【発明が解決しようとする課題】
【０００７】
しかしながら、排気管及び固体電解質形燃料電池の燃焼室を形成する反応容器の壁面に酸素含有ガス供給管を設けたとしても、まだまだ排熱回収率（エネルギー効率）としては満足できるものではなく、さらなるエネルギー効率の向上が必要である。
【０００８】
一方、固体電解質形燃料電池の運転温度は通常８００℃前後と高温であるため、この放熱を少なくして８００℃前後の運転温度を維持するために、燃料電池の壁面を断熱材で覆うことが一般に行われている。ここで、放熱量を少なくするためには、断熱材を厚くすれば良いが、コストや寸法から限界がある。一方、断熱材が薄いと、燃料電池壁面の表面温度が高くなって危険であるという問題がある。
【０００９】
本発明は、上記事情に鑑みてなされたもので、固体電解質形燃料電池からの排熱を有効に利用でき、固体電解質形燃料電池の壁面温度を安全な温度まで下げることのできる燃料電池システムを提供することを目的とする。
【課題を解決するための手段】
【００１０】
本発明は、壁面を具備する固体電解質形燃料電池と、湯水を貯える貯湯タンクと、第一の熱交換器と、前記固体電解質形燃料電池の壁面に取り付けられた第二の熱交換器と、前記貯湯タンクの底部と前記第一の熱交換器と前記第二の熱交換器と前記貯湯タンクの上部とを順に接続する水循環配管と、前記固体電解質形燃料電池と前記第一の熱交換器とを接続する排ガス配管とを具備し、前記固体電解質形燃料電池から流出する排ガスが前記第一の熱交換器を通過して排出されるとともに、前記貯湯タンクからの水が前記第一の熱交換器を通過することにより、排ガスと水との間で熱交換が行われ、前記第一の熱交換器を通過した水が前記第二の熱交換器を通過することにより、前記固体電解質形燃料電池の壁面と水との間で熱交換が行われることを特徴とする燃料電池システムである。
【００１１】
このように、固体電解質形燃料電池より排出された排ガス及び貯湯タンク内に貯えられる湯水を第一の熱交換器に流通させることにより排ガスの凝縮潜熱にて湯水を加熱し、さらに第一の熱交換器を通過した湯水を固体電解質形燃料電池の壁面に配置された第二の熱交換器に流通させることにより、固体電解質形燃料電池壁面からの放熱で湯水をさらに加熱できるので、確実に温度成層を形成して高温の湯水を貯えることができるようになると共に、固体電解質形燃料電池の壁面温度を安全な温度まで下げることができる。
【００１２】
ここで、第二の熱交換器が、高熱伝導性金属板と該高熱伝導性金属板に密着させた水流通配管とからなるもの、または、高熱伝導性金属板により水流通経路を形成させたプレート式熱交換器であるのが好ましい。固体電解質形燃料電池の運転温度は７００℃〜１０００℃であるため、一般に固体電解質形燃料電池本体を断熱材で覆っているが、それでも極めて高温であるために断熱材を通して熱が放出されている。したがって、この放熱している断熱材に上記構成の第二の熱交換器を取り付けることにより、水流通配管（水流通経路）内を流通する湯水をさらに加熱することができる。
【００１３】
さらに、第二の熱交換器が、側面上方または上面に設けられているのが好ましい。また、複数の側面に設けられているのが好ましい。これにより、さらに熱交換効率及び冷却効果を高めることができ、より安全な燃料電池システムを構築することができる。
【発明の効果】
【００１４】
本発明の燃料電池システムによれば、固体電解質形燃料電池を駆動させることにより発生した排熱を効率よく有効に回収でき、高温の水を安定して供給することができると共に、第二の熱交換器によって、発電電池外表面の温度を６０℃以下に下げることが出来、安全な燃料電池システムが供給できる。
【発明を実施するための最良の形態】
【００１５】
本発明の燃料電池システムの実施形態を図面に基づいて説明する。
【００１６】
図１に示す燃料電池システムは、壁面を具備する固体電解質形燃料電池１と、湯水を貯える貯湯タンク６と、第一の熱交換器５と、前記固体電解質形燃料電池１の壁面に取り付けられた第二の熱交換器１０と、前記貯湯タンク６の底部と前記第一の熱交換器５と前記第二の熱交換器１０と前記貯湯タンク６の上部とを順に接続する水循環配管７と、前記固体電解質形燃料電池１と前記第二の熱交換器１０とを接続する排ガス配管９とを含む燃料電池システムであって、前記固体電解質形燃料電池１から流出する排ガスが前記第一の熱交換器５を通過して排出されるとともに、前記貯湯タンク６から流出する水が前記第一の熱交換器５を通過することにより、排ガスと水との間で熱交換が行われ、前記第一の熱交換器５を通過した水が前記第二の熱交換器１０を通過することにより、前記固体電解質形燃料電池１の壁面と水との間で熱交換が行われるようになっている。
【００１７】
この燃料電池システムは、固体電解質形燃料電池１に都市ガス、天然ガスなどの燃料ガスを供給するための燃料ガス供給装置２、固体電解質形燃料電池１に供給する燃料ガスを加湿する燃料加湿器４、固体電解質形燃料電池１に酸化剤としての空気を供給するための空気供給装置３を有している。
【００１８】
固体電解質形燃料電池１は、燃料極と空気極が固体電解質層を介して対向するように設けられ、空気極側に空気を供給するとともに、燃料極側に燃料ガス（水素）を供給することにより、空気極で下記式（１）の電極反応を生じ、また燃料極で下記式（２）の電極反応を生じることによって発電するものである。    
空気極：  １／２Ｏ２＋２ｅ−  →  Ｏ２−  （固体電解質）  …（１）    
燃料極：  Ｏ２−  （固体電解質）＋  Ｈ２  →  Ｈ２Ｏ＋２ｅ−  …（２）
燃料ガス供給装置２及び空気供給装置３は、燃料ガス及び空気の流量をコントロールしながら燃料ガス及び空気を固体電解質形燃料電池１に送るように設定されたものである。そして、燃料ガス供給装置２から送り出された燃料ガスは、改質に適した水素／水蒸気比となるように燃料加湿器４で加湿され、改質器（図示しない）を経て固体電解質形燃料電池１へ送られる。
【００１９】
そして、固体電解質形燃料電池１には、この燃料電池の発電により生じる排ガスの熱量を回収するための第一の熱交換器５が排ガス配管９を介して接続されており、固体電解質形燃料電池１から流出した排ガスが第一の熱交換器５を通過して排出されるようになっている。
【００２０】
一方、貯湯タンク６の底部と、第一の熱交換器５と、第二の熱交換器１０と、貯湯タンク６の上部とが順に水循環配管７を介して接続されている。水循環配管７には、うず巻きポンプからなる循環ポンプ８が設けられており、貯湯タンク６の底部から流出した水がそれぞれの熱交換器を通過してお湯となり、貯湯タンク６の上部から流入するようになっている。
【００２１】
第一の熱交換器５には、図２に示すように、筐体５３で囲まれた排ガスの流通する内部空間（シェル側）と、排ガス流れ方向を軸として蛇行形状の水の流通する水流通流路５１が設けられている。図２では、第一の熱交換器５の上部から下部に向かって排ガスが流れ、逆に下部から上部に向かって水が流れるようになっており、いわゆる対向流となっている。
【００２２】
水流通流路５１は、熱交換の効率を上げるために密に収納されているのが好ましく、このような効果を得るために本発明においては蛇行若しくは螺旋状になっている。特に、第一の熱交換器５をなるべくコンパクトにするために図２のような蛇行形状であるのが好ましい。尚、水流通流路５１の材質としては、銅、アルミ、ステンレスなどが挙げられるが、特に限定はされない。
【００２３】
そして、水流通流路５１の外側（内部空間）を流れる排ガスから水流通流路５１の内側を流れる水への伝熱面積を増加させるために、排ガス流れ方向に略平行に水流通流路５１の壁面に接して複数のフィン５２が設けられている。このフィン５２は、排ガスの圧力損失をなるべく少なくするように、配管２の屈曲部位には設けられずに、排ガス流れ方向に垂直な方向の直線部位に、排ガス流れ方向に略平行に配置されているのが好ましい。また、複数のフィン５２は、所定の間隔で配置されているが、この間隔が狭すぎると、後述の排ガス中の水蒸気が液化してなる凝縮水がフィンの間隙に溜まり熱交換率が低下してしまうおそれがあり、間隔が広すぎると集熱が悪く熱交換率が低下してしまうおそれがあるので、フィン５２の間隔は１〜数ｍｍ程度であるのが好ましい。
【００２４】
また、フィン５２は、排ガス流れ方向に対して連続しておらず、複数に分割されているのが好ましい。
【００２５】
具体的には、上下に隣接する水流通流路５１の間で分割されている。この分割形状は、排ガス流れ方向に連続するような従来よりあるフィン形状を単に分割したような形状でもよく、水流通流路５１の周囲に円盤状の部材を付設したようなものであってもよい。このように排ガス流れ方向に対して分割されていることにより、排ガス流れ方向（水の流れに垂直な方向）への熱伝導が悪くなり、第一の熱交換器５内で温度勾配ができることにより、第一の熱交換器５全体で均等に熱交換が行なわれるようになるため、排ガスの凝縮潜熱を充分回収でき、排ガスを有効に利用できるようになる。このようなフィン５２の材質としては、銅、アルミニウムなどが好ましく採用されるが、特にこれらに限定されるものではない。
【００２６】
尚、この第一の熱交換器５に流入する排ガス温度としては、２５０℃以下であるのが好ましい。固体電解質形燃料電池の運転温度は一般に７００℃〜１０００℃であるために、酸化剤ガスが排ガスとの熱交換により高温ガスとなって供給される。その為、熱交換により２５０℃以下まで冷却されて排出された排ガスを、水との熱交換のための熱交換器に流入させることができる。ここで３５０℃以上の燃焼ガス（排ガスを含む）を熱源とするものが温水ボイラーと定義されるが、上述のように第一の熱交換器に流入する排ガス温度が２５０℃以下であることにより、ボイラーではないので、貯湯圧力を高く設定したとしても、危険性の少ないシステムを提供できる。
【００２７】
また、固体電解質形燃料電池１の運転温度が８００℃以下であるとともに、第一の熱交換器５において熱交換により排ガス中の水蒸気が液化してなる凝縮水が固体電解質形燃料電池１に供給されるのが好ましい。熱交換により潜熱の熱量が回収されるが、このとき排ガス中の水蒸気は液化されて水（凝縮水）となる。運転温度１０００℃以上で排出される排ガス中の水蒸気が熱交換により水になると、その水は酸性となっており、中和剤を入れてから廃棄しなければならないが、運転温度８００℃以下である固体電解質形燃料電池における電気化学反応によって発生する水は純水に近く、NOxやSOx等が含まれていないため、廃棄の問題もない。さらに、燃料ガスを改質して水素を取り出すために、従来、イオン交換水を蒸気にして供給する必要があったが、イオン交換水にかえて、上述のように発生した水が水蒸気となって含まれる排ガスが熱交換器を通過することにより得られる凝縮水を用いることができるようになり、イオン交換水を精製する装置が不要となり、燃料電池を小型化できる。
【００２８】
第二の熱交換器１０は、図１に示すように、固体電解質形燃料電池１の壁面に接するように設けられており、第一の熱交換器５の下流側に位置して、第一の熱交換器５と水循環配管７を介して接続されている。
【００２９】
第二の熱交換器１０の具体的構成は、図３に示すように、高熱伝導性の金属板１０２と、この金属板１０２に密着させた水流通配管１０１とから構成され、固体電解質形燃料電池１の壁面に金属板１０２を取り付けるようにして配置されている。この水流通配管１０１は、金属板１０２から放出される熱を広い範囲で吸収するように、蛇行状に配置され密着されているのが好ましい。ここで、高熱伝導性の金属板１０２の材質としては、銅、アルミニウムなどが挙げられるが、特に限定されない。また、水流通配管１０１の径としては、５〜１０ｍｍ、金属板の１〜５ｍｍ程度が採用される。
【００３０】
図３に示す第二の熱交換器１０は、金属板１０２に水流通配管１０１を密着させた構成であるが、上記構成の他、高熱伝導性金属板により水流通経路を形成させたプレート式熱交換器も好ましく採用できる。このものは、金属板からなる伝熱プレート２枚を所定の間隙を設けて配置することにより、伝熱プレート間に湯水を流すことができるというものである。固体電解質形燃料電池の壁面から放出される熱は、壁面に接触する側の伝熱プレートを介して、２枚の伝熱プレート間を流れる湯水に吸収され、熱交換が行われる。尚、２枚の伝熱プレート間を流れる湯水の偏りを防止するために、ちょうど段ボールの横断面形状にみられるような波板を介在させるなどしてもよい。
【００３１】
図１では、固体電解質形燃料電池１の一つの側面に第二の熱交換器１０を設けたが、複数の側面、特に側面全面にわたって設けることにより、より熱交換効率を高めることができる。また、図１に示すように、固体電解質形燃料電池１の容器内部の上方において余剰の水素が燃焼するので、側面の上方の位置に第二の熱交換器を設けることにより、さらに熱交換効率及び冷却効果を発揮させることができる。さらに、固体電解質形燃料電池１の上部側が最も高温になるので、固体電解質形燃料電池１の上面に設けることにより、またさらに熱交換効率及び冷却効果を高めることができる。このように、固体電解質形燃料電池１の壁面と水との間で熱交換が行われる、言い換えると、固体電解質形燃料電池１からの放熱を循環水で吸収することにより、断熱材の厚みを厚くすることなく、固体電解質形燃料電池１の壁面温度を安全な温度、具体的には６０℃以下にまで下げることができる。
【００３２】
尚、より安全を期すために第二の熱交換器１０の外側に断熱材を設けるのが好ましい。
【００３３】
また、第一の熱交換器５及び第二の熱交換器１０内の配管を流れる水の流量が０．２リットル／分以下であるのが好ましい。これらの熱交換器内の水の流量を０．２リットル／分以下とすることにより、第二の熱交換器１０の出口水温を非常に高温にすることができる。なお、貯湯タンク６の容量が１００リットルだとすると、０．２リットル／分の流量で８〜１０時間程度で貯湯タンク内の水が全てお湯になってしまい（上側の高温層と底部側の低温層の境界が下端まで達してしまい）、第一の熱交換器５の入口水温が高くなってしまうのではないかという懸念に対し、家庭において本発明の燃料電池システムが使用される場合には、８〜１０時間のうちにお風呂等定期的にお湯が使用されるので、上記懸念は解消される。
【００３４】
以上のような燃料電池システムの運転は、燃料供給装置２で燃料となる都市ガス、天然ガスなどを固体電解質形燃料電池１に供給する。また、空気供給装置３により酸化剤ガスが燃料電池１に供給される。最初に固体電解質形燃料電池１内部で燃料ガスを燃焼させ、その燃焼熱で固体電解質形燃料電池１自体を発電可能な温度まで加熱する。所定の温度になると発電が始まり、発電により発生する熱により固体電解質形燃料電池１の温度を維持する。さらに、発電により発生する熱が余り、外部に排熱として放出されるようになる。このとき、固体電解質形燃料電池１から流出する排ガスを第一の熱交換器５へ導き、第一の熱交換器５を介して水循環配管７内を循環する水に熱を移動せしめる。固体電解質形燃料電池１より流出する排ガスが第一の熱交換器５のシェル側（内部空間）を下方に向かって流れ、水側は水流通流路５１を下から上方に向かって対向流で流れ、水流通流路５１に付設されたフィン５２で熱を吸収して集熱管５１へ伝達する。この時、フィンが排ガスの流れ方向に対して分割されているため、循環流量が０．２リットル/分以下でもフィンを通して第一の熱交換器５低温側への熱伝導がなくなり、第一の熱交換器５全体で均等に熱交換が行われるようになり、排ガスを有効に利用できるようになる。
【００３５】
さらに、第二の熱交換器１０で燃料電池１の壁面より放熱している熱を吸収して循環する水に熱を移動せしめる。このことにより固体電解質形燃料電池１の壁面温度（断熱材外表面温度）は約１５０℃から約６０℃まで温度が下がるために、断熱材を厚くすることなく固体電解質形燃料電池１の壁面温度（断熱材外表面温度）を安全な６０℃以下にすることができる。
【００３６】
循環する湯水の熱交換器を通過した後の温度が低いと、貯湯タンク内の湯水全体の温度が徐々に上昇していき、貯湯タンクの下側に貯められた水温が４０℃を越えてしまう。すなわち、熱交換器入口水温と熱交換器出口水温の差が小さいと、貯湯タンク内で底部側の水と上部側のお湯が混ざり合い、貯湯タンクの底部側の水温が徐々に上昇してしまうので、熱交換効率が悪化する。これに対し、熱交換器入口水温と熱交換器出口水温の差が大きいと、貯湯タンク内で底部側の低温層（水）と上部側の高温層（お湯）、いわゆる温度成層が形成され、貯湯タンクの底部側の水温が上昇しにくくなり、熱交換効率が良好となる。
【００３７】
本発明では、第一の熱交換器５と第二の熱交換器１０の二つの熱交換器を用いているので、第一の熱交換器５入口水温と第二の熱交換器１０出口水温の差を大きくすることができ、貯湯タンク内で底部側の低温層（水）と上部側の高温層（お湯）、いわゆる温度成層が形成され、貯湯タンクの底部側の水温が上昇しにくくなり、熱交換効率が良好となる。
【００３８】
尚、貯湯タンクの上部側（高温層）に貯められたお湯は要時に給湯させることができる。また、本発明は、小型の（発熱量が少ない）固体電解質形燃料電池から有効に熱を回収して給湯システムに用いることができるため、家庭用として用いられる３ｋｗ以下の固体電解質形燃料電池に好適に用いることができる。
【図面の簡単な説明】
【００３９】
【図１】本発明の燃料電池システムを示す構成図である。
【図２】本発明の第一の熱交換器の内部構造の説明図である。
【図３】本発明の第二の熱交換器の説明図であり、（ａ）は正面図、（ｂ）は横断面図である。
【図４】従来の高分子電解質形燃料電池システムを示す構成図である。
【符号の説明】
【００４０】
１  ：燃料電池
２  ：燃料ガス供給装置
３  ：空気供給装置
４  ：燃料加湿器
５  ：第一の熱交換器
６  ：貯湯タンク
７  ：水循環配管
８  ：循環ポンプ
１０：第二の熱交換器
１０１：水流通配管
１０２：金属板
１１：熱交換器入口水温検出器
１２：熱交換器出口水温検出器
１３：制御装置
１４：タンク温度検出器
【図１】
2006179386.tif 000003
【図２】
2006179386.tif 000004
【図３】
2006179386.tif 000005
【図４】
2006179386.tif 000006